(57)【要約】【課題】  従来、無線システムの保守監視を遠隔から行う場合、トラブル発生時に運用保守担当者が現場に赴いて、故障原因の切り分けなどの作業を行う必要があった。【解決手段】  無線基地局装置は、無線端末装置と通信を行う複数の無線部と、パケット収集ポリシーに基づいて、複数の無線部で通信されるパケットデータを収集するパケットデータ収集部と、パケット分析ポリシーに基づいてパケットデータの分析を行い、分析結果情報を制御局装置に送信する収集パケットデータ分析部と、基地局性能情報および分析結果情報を制御局装置に送信し、パケット収集ポリシーおよびパケット分析ポリシーを受信する情報処理部とを備え、制御局装置は、基地局性能情報に基づき、パケット収集ポリシーおよびパケット分析ポリシーを生成して無線基地局装置に送信するパケット収集分析ポリシー生成部と、無線基地局装置から通知される分析結果情報を解析するデータ解析部とを備える。【選択図】図２
2020174255.tif 000002
【特許請求の範囲】
【請求項１】
少なくとも１つの無線基地局装置と、前記無線基地局装置を制御する制御局装置とを備える無線通信システムにおいて、
前記無線基地局装置は、
無線端末装置との間でパケットデータの通信を行う複数の無線部と、
前記制御局装置から受信するパケット収集ポリシーに基づいて、複数の前記無線部で通信される前記パケットデータを収集するパケットデータ収集部と、
前記制御局装置から受信するパケット分析ポリシーに基づいて、前記パケットデータ収集部が収集したパケットデータの分析を行い、その分析結果情報を前記制御局装置に送信する収集パケットデータ分析部と、
自装置の基地局性能情報および前記分析結果情報を前記制御局装置に送信し、前記パケット収集ポリシーおよび前記パケット分析ポリシーを前記制御局装置から受信する情報処理部と
を備え、
前記制御局装置は、
前記無線基地局装置から受信する前記基地局性能情報に基づき、前記パケット収集ポリシーおよび前記パケット分析ポリシーを生成して前記無線基地局装置に送信するパケット収集分析ポリシー生成部と、
前記無線基地局装置から通知される前記分析結果情報を解析するデータ解析部と
を備えることを特徴とする無線通信システム。
【請求項２】
請求項１に記載の無線通信システムにおいて、
前記データ解析部は、収集パケットデータ取得信号を前記無線基地局装置に送信して、前記無線基地局装置の前記パケットデータ収集部が収集した前記分析結果情報に対応する前記パケットデータを前記制御局装置に送信させる
ことを特徴とする無線通信システム。
【請求項３】
請求項２に記載の無線通信システムにおいて、
前記無線基地局装置は、前記パケット収集ポリシーにおける収集条件を満たすか否かを判定し、満たす場合に前記パケットデータ収集を行う
ことを特徴とする無線通信システム。
【請求項４】
少なくとも１つの無線基地局装置を制御する制御局装置において、
前記無線基地局装置から受信する基地局性能情報に基づき、パケット収集ポリシーおよびパケット分析ポリシーを生成して前記無線基地局装置に送信するパケット収集分析ポリシー生成部と、
前記無線基地局装置が前記パケット収集ポリシーおよび前記パケット分析ポリシーに基づいて収集および分析した分析結果情報を解析するデータ解析部と
を備えることを特徴とする制御局装置。
【請求項５】
請求項４に記載の制御局装置において、
前記データ解析部は、収集パケットデータ取得信号を前記無線基地局装置に送信して、前記無線基地局装置が収集した前記分析結果情報に対応するパケットデータを送信させる
ことを特徴とする制御局装置。
【請求項６】
制御局装置により制御される少なくとも１つの無線基地局装置において、
無線端末装置との間でパケットデータの通信を行う複数の無線部と、
前記制御局装置から受信するパケット収集ポリシーに基づいて、複数の前記無線部で通信される前記パケットデータを収集するパケットデータ収集部と、
前記制御局装置から受信するパケット分析ポリシーに基づいて、前記パケットデータ収集部が収集したパケットデータの分析を行い、その分析結果情報を前記制御局装置に送信する収集パケットデータ分析部と、
自装置の基地局性能情報および前記分析結果情報を前記制御局装置に送信し、前記パケット収集ポリシーおよび前記パケット分析ポリシーを前記制御局装置から受信する情報処理部と
を備えることを特徴とする無線基地局装置。
【請求項７】
請求項６に記載の無線基地局装置において、
前記情報処理部は、前記制御局装置から収集パケットデータ取得信号を受信した場合、前記分析結果情報に対応する前記パケットデータを前記制御局装置に送信する
ことを特徴とする無線基地局装置。
【請求項８】
請求項７に記載の無線基地局装置において、
前記パケットデータ収集部は、前記パケット収集ポリシーにおける収集条件を満たすか否かを判定し、満たす場合に前記パケットデータ収集ポリシーに基づいて前記パケットデータ収集を行う
ことを特徴とする無線基地局装置。
【発明の詳細な説明】
【技術分野】
【０００１】
本発明は、無線通信システム、制御局装置および無線基地局装置に関する。
【背景技術】
【０００２】
免許不要の周波数帯域の電波を用いた高速無線アクセスシステムとして、ＩＥＥＥ８０２．１１規格の無線ＬＡＮでは、ＩＥＥＥ８０２．１１ａ、１１ｂ、１１ｇ、１１ｎ、１１ａｃなど様々な規格が規定されており、使用する無線周波数帯域、無線伝送技術および無線伝送速度などがそれぞれ異なる。ＩＥＥＥ８０２．１１ｂ規格は２．４ＧＨｚ帯を用いて最大１１Ｍｂｐｓ、ＩＥＥＥ８０２．１１ａ規格は５ＧＨｚ帯を用いて最大５４Ｍｂｐｓ、ＩＥＥＥ８０２．１１ｇ規格は２．４ＧＨｚ帯を用いて最大５４Ｍｂｐｓの無線伝送速度がそれぞれ利用できる。また、ＩＥＥＥ８０２．１１ｎ規格は２．４ＧＨｚ帯および５ＧＨｚ帯を用いて最大６００Ｍｂｐｓ、ＩＥＥＥ８０２．１１ａｃ規格は５ＧＨｚ帯を用いて最大６９００Ｍｂｐｓの無線伝送速度がそれぞれ利用できる。このような様々なＩＥＥＥ８０２．１１規格の無線ＬＡＮは、後方互換性が保たれており、複数の規格が混在した通信環境でも使用することが可能である。
【０００３】
一方、駅、空港、ショッピングモール、スタジアムなどの公衆エリアにおいて、集客やユーザ満足度の向上を目的とし、公衆エリアの利用者向けに無線ＬＡＮ接続サービスが提供されることが多い。公衆エリアの利用者向けの無線ＬＡＮ接続サービスでは、サービスの提供状態を維持するため、接続状態やサービスの提供状態の確認などの保守や監視をネットワーク経由で遠隔から行い、機器の故障や接続不良などのトラブルが検出された場合には、作業員が現地に赴いて調査、試験、機器交換などの対応を行う必要がある（例えば、非特許文献１参照）。
【先行技術文献】
【非特許文献】
【０００４】
【非特許文献１】https://jpn.nec.com/service/support/maintenance/service/onsite.html
【発明の概要】
【発明が解決しようとする課題】
【０００５】
無線ＬＡＮ接続サービスの保守や監視をネットワーク経由で遠隔から行う場合、動作ログや遠隔監視からは一見問題がないように見えていても、実際に無線ＬＡＮ接続サービスを利用しようとすると、接続不良などのトラブルが生じる場合がある。このようなトラブルが発生して、無線ＬＡＮ接続サービスを提供するエリアオーナ等から運用保守担当者へ連絡が入った場合、運用保守担当者が現地に赴いて、サービス状況、故障確認および故障原因の切り分けなどの作業を行うため、手間と稼働を要するという問題があった。
【０００６】
本発明では、制御局から通知された無線基地局の監視ポリシーに基づいて、無線基地局が自局の無線手段の一部を保守監視用に活用することで、従来は必要であったトラブル発生時の保守運用者の現地派遣を不要にして手間と稼働を削減するとともに、遠隔からの保守監視を定常的に行うことで、客先においてトラブルが顕在化する前に、事前に問題を検出することができ、客先からのクレームの削減やサービス品質を向上できる無線通信システム、制御局装置および無線基地局装置を提供することを目的とする。
【課題を解決するための手段】
【０００７】
第１の発明は、少なくとも１つの無線基地局装置と、前記無線基地局装置を制御する制御局装置とを備える無線通信システムにおいて、前記無線基地局装置は、無線端末装置との間でパケットデータの通信を行う複数の無線部と、前記制御局装置から受信するパケット収集ポリシーに基づいて、複数の前記無線部で通信される前記パケットデータを収集するパケットデータ収集部と、前記制御局装置から受信するパケット分析ポリシーに基づいて、前記パケットデータ収集部が収集したパケットデータの分析を行い、その分析結果情報を前記制御局装置に送信する収集パケットデータ分析部と、自装置の基地局性能情報および前記分析結果情報を前記制御局装置に送信し、前記パケット収集ポリシーおよび前記パケット分析ポリシーを前記制御局装置から受信する情報処理部とを備え、前記制御局装置は、前記無線基地局装置から受信する前記基地局性能情報に基づき、前記パケット収集ポリシーおよび前記パケット分析ポリシーを生成して前記無線基地局装置に送信するパケット収集分析ポリシー生成部と、前記無線基地局装置から通知される前記分析結果情報を解析するデータ解析部とを備えることを特徴とする。
【０００８】
第２の発明は、第１の発明において、前記データ解析部は、収集パケットデータ取得信号を前記無線基地局装置に送信して、前記無線基地局装置の前記パケットデータ収集部が収集した前記分析結果情報に対応する前記パケットデータを前記制御局装置に送信させることを特徴とする。
【０００９】
第３の発明は、第２の発明において、前記無線基地局装置は、前記パケット収集ポリシーにおける収集条件を満たすか否かを判定し、満たす場合に前記パケットデータ収集を行うことを特徴とする。
【００１０】
第４の発明は、少なくとも１つの無線基地局装置を制御する制御局装置において、前記無線基地局装置から受信する基地局性能情報に基づき、パケット収集ポリシーおよびパケット分析ポリシーを生成して前記無線基地局装置に送信するパケット収集分析ポリシー生成部と、前記無線基地局装置が前記パケット収集ポリシーおよび前記パケット分析ポリシーに基づいて収集および分析した分析結果情報を解析するデータ解析部とを備えることを特徴とする。
【００１１】
第５の発明は、第４の発明において、前記データ解析部は、収集パケットデータ取得信号を前記無線基地局装置に送信して、前記無線基地局装置が収集した前記分析結果情報に対応する前記パケットデータを送信させることを特徴とする。
【００１２】
第６の発明は、制御局装置により制御される少なくとも１つの無線基地局装置において、無線端末装置との間でパケットデータの通信を行う複数の無線部と、前記制御局装置から受信するパケット収集ポリシーに基づいて、複数の前記無線部で通信される前記パケットデータを収集するパケットデータ収集部と、前記制御局装置から受信するパケット分析ポリシーに基づいて、前記パケットデータ収集部が収集したパケットデータの分析を行い、その分析結果情報を前記制御局装置に送信する収集パケットデータ分析部と、自装置の基地局性能情報および前記分析結果情報を前記制御局装置に送信し、前記パケット収集ポリシーおよび前記パケット分析ポリシーを前記制御局装置から受信する情報処理部とを備えることを特徴とする。
【００１３】
第７の発明は、第６の発明において、前記情報処理部は、前記制御局装置から収集パケットデータ取得信号を受信した場合、前記分析結果情報に対応する前記パケットデータを前記制御局装置に送信することを特徴とする。
【００１４】
第８の発明は、第７の発明において、前記パケットデータ収集部は、前記パケット収集ポリシーにおける収集条件を満たすか否かを判定し、満たす場合に前記パケットデータ収集ポリシーに基づいて前記パケットデータ収集を行うことを特徴とする。
【発明の効果】
【００１５】
本発明に係る無線通信システム、制御局装置および無線基地局装置は、制御局から通知された無線基地局の監視ポリシーに基づいて、無線基地局が自局の無線手段の一部を保守監視用に活用することで、従来は必要であったトラブル発生時の保守運用者の現地派遣を不要にして手間と稼働を削減するとともに、定常的に監視を行うことで、客先においてトラブルが顕在化する前に、事前に問題を検出することができ、客先からのクレームの削減やサービス品質を向上することができる。
【図面の簡単な説明】
【００１６】
【図１】本実施形態に係る無線通信システムの一例を示す図である。
【図２】本実施形態に係る制御局および無線基地局の構成例を示す図である。
【図３】パケット収集ポリシーおよびパケット分析ポリシーの一例を示す図である。
【図４】収集パケットデータの一例を示す図である。
【図５】収集パケット分析結果情報の一例を示す図である。
【図６】初期設定処理の一例を示す図である。
【図７】パケット収集分析処理の一例を示す図である。
【発明を実施するための形態】
【００１７】
以下、図面を参照して本発明に係る無線通信方法、制御局装置および無線基地局装置の実施形態について説明する。なお、以降の実施形態では、制御局装置を制御局、無線基地局装置を無線基地局、無線端末装置を無線端末局と称する。
【００１８】
図１は、本実施形態に係る無線通信システム１００の一例を示す。図１において、無線通信システム１００は、制御局１０１と、無線基地局１０２（１）から無線基地局１０２（Ｎ）（Ｎは正の整数）と、制御局１０１とＮ台の無線基地局１０２とを接続するネットワーク１０３を有する。
【００１９】
ここで、以降の説明において、無線基地局１０２（１）から無線基地局１０２（Ｎ）に共通の説明を行う場合は、符号末尾の（番号）を省略して無線基地局１０２と表記し、特定の無線基地局１０２を指す場合は、符号末尾に（番号）を付加して、例えば無線基地局１０２（１）にように表記する。なお、他のブロックについても同様に表記する。
【００２０】
図２は、本実施形態に係る制御局１０１および無線基地局１０２の構成例を示す。
【００２１】
＜制御局１０１＞
図２において、先ず、制御局１０１について説明する。制御局１０１は、ネットワーク通信部２０１、パケット収集分析ポリシー生成部２０２、データ解析部２０３およびデータ解析結果記録部２０４を備える。なお、一般的な制御局に搭載される機能のブロックについては省略する。
【００２２】
ネットワーク通信部２０１は、ネットワーク１０３を介して無線基地局１０２との間で後述する様々な情報の送信または受信を行う。例えば、ネットワーク通信部２０１は、ネットワーク１０３を介して無線基地局１０２から基地局性能情報を受信してパケット収集分析ポリシー生成部２０２へ出力し、パケット収集分析ポリシー生成部２０２が生成するパケット収集分析ポリシー（ポリシー番号、パケット収集ポリシー、パケット分析ポリシーの情報）をネットワーク１０３を介して無線基地局１０２へ送信する。また、ネットワーク通信部２０１は、ネットワーク１０３を介して無線基地局１０２から収集パケットデータおよび収集パケット分析結果情報を受信してデータ解析部２０３へ出力し、データ解析部２０３が出力する収集パケットデータ取得信号をネットワーク１０３を介して無線基地局１０２へ送信する。
【００２３】
パケット収集分析ポリシー生成部２０２は、無線基地局１０２からネットワーク通信部２０１を介して受信する基地局性能情報に基づいてパケット収集分析ポリシーを生成し、ネットワーク通信部２０１を介して無線基地局１０２へ送信する。
【００２４】
データ解析部２０３は、無線基地局１０２からネットワーク通信部２０１を介して受信する収集パケットデータおよび収集パケット分析結果情報に基づいてデータ解析を行う。データ解析は、例えば、トラブルが起きているか否かを確認し、トラブルが起きている場合は、収集パケット分析結果情報を解析してトラブルの原因を突き止める処理である。そして、データ解析部２０３は、さらに詳しい分析を行う場合、収集パケット分析結果情報に対する収集パケットデータ自体を無線基地局１０２から取得するために、収集パケットデータ取得信号を無線基地局１０２へ送信し、無線基地局１０２で収集済みの収集パケットデータをそのまま制御局１０１へ送信させることができる。ここで、収集パケットデータ取得信号は、制御局１０１が無線基地局１０２に対して通知する制御信号である。
【００２５】
データ解析結果記録部２０４は、データ解析部２０３から出力されるデータ解析結果情報を受け取ってメモリなどの記録媒体に記録する。
【００２６】
ここで、基地局性能情報とは、無線基地局１０２が持つ無線通信の性能を示す情報であり、例えば、後述する無線基地局１０２における無線部３０２の数、アンテナ３０１の数、および、対応する無線通信規格などの情報を含む。
【００２７】
このように、制御局１０１は、パケット収集分析ポリシーをネットワーク１０３を介して接続される無線基地局１０２へ送信し、収集パケットデータおよび収集パケット分析結果情報を無線基地局１０２から受信してデータ解析を行うことができる。なお、パケット収集分析ポリシーについては、後で詳しく説明する。
【００２８】
＜無線基地局１０２＞
次に、無線基地局１０２について説明する。図２において、無線基地局１０２は、複数のアンテナ３０１を有する複数の無線部３０２、パケットデータ収集部３０３、収集パケットデータ分析部３０４、収集パケットデータ記録部３０５、情報処理部３０６、ネットワーク通信部３０７を備える。なお、一般的な無線基地局に搭載される機能のブロックについては省略する。
【００２９】
アンテナ３０１は、各無線部３０２にＭ個（Ｍは正の整数）が配置される。例えば、無線部３０２（１）はアンテナ３０１（１−１）からアンテナ３０１（１−Ｍ）を有し、無線部３０２（Ｎ）はアンテナ３０１（Ｎ−１）からアンテナ３０１（Ｎ−Ｍ）を有する。ここで、アンテナ３０１（前番号−後番号）の前番号は無線部３０２の番号を示し、後番号は同じ無線部３０２の中のアンテナ３０１の番号を示す。例えば、無線部３０２（Ｎ）の３番目のアンテナは、アンテナ３０１（Ｎ−３）と表記する。
【００３０】
無線部３０２は、無線端末局と通信するための無線部３０２（１）から無線部３０２（Ｎ）のＮ個があり、各々の無線部３０２は、動作モード切替機能およびパケット収集機能の２つを有する。動作モード切替機能では、パケットデータ収集部３０３の設定に基づき、無線部３０２自身の動作モードを無線基地局モードまたはパケット収集モードに切り替える。無線基地局モードでは、無線部３０２は無線基地局１０２として動作する。パケット収集モードでは、アンテナ３０１で受信された無線パケットを収集し、パケットデータ収集部３０３へ出力する。
【００３１】
パケットデータ収集部３０３は、動作モード設定機能およびパケットデータ収集機能の２つを有する。動作モード設定機能では、情報処理部３０６から入力されたパケット収集分析ポリシーのパケット収集ポリシーに基づき、パケット収集ポリシーにおける収集条件を満たすか否かを判定し、収集条件を満たす場合に各無線部３０２に対してパケット収集モードまたは無線基地局モードを設定したりする。パケットデータ収集機能では、無線部３０２から入力された無線パケットを取りまとめ、収集パケットデータとして情報処理部３０６へ出力する。
【００３２】
収集パケットデータ分析部３０４は、情報処理部３０６からパケット収集分析ポリシーの入力を受けて自身に設定するとともに、情報処理部３０６から収集パケットデータの入力を受けて、パケット収集分析ポリシーのパケット分析ポリシーに基づいて収集パケットデータに対する分析を行い、その結果を収集パケット分析結果情報として情報処理部３０６へ出力する。
【００３３】
収集パケットデータ記録部３０５は、情報処理部３０６からパケットデータの入力を受けてメモリなどの記録媒体に記録するとともに、情報処理部３０６から収集パケット取得信号の入力を受けて、該当する収集パケットデータを情報処理部３０６へ出力する。なお、収集パケットデータ記録部３０５は、パケットデータを新たに記録する毎に、新たなパケットデータにより古いパケットデータを削除したり、定期的に確認して記録から一定時間以上経過したパケットデータを削除したりすることで、パケットデータの容量の肥大化を防ぐことができる。
【００３４】
情報処理部３０６は、無線基地局１０２自身の基地局性能情報をネットワーク通信部３０７およびネットワーク１０３を介して制御局１０１へ送信し、ネットワーク通信部３０７を介して制御局１０１からパケット収集分析ポリシーを受信してパケットデータ収集部３０３および収集パケットデータ分析部３０４へ出力する。また、情報処理部３０６は、パケットデータ収集部３０３から出力されるパケットデータを収集パケットデータ分析部３０４および収集パケットデータ記録部３０５へ出力し、収集パケットデータ分析部３０４が出力される収集パケット分析結果情報をネットワーク通信部３０７を介して制御局１０１へ送信する。さらに、情報処理部３０６は、ネットワーク通信部３０７を介して制御局１０１から収集パケット取得信号を受信して収集パケットデータ記録部３０５へ出力し、収集パケットデータ記録部３０５から収集パケットデータを受け取ってネットワーク通信部３０７を介して制御局１０１へ送信する。
【００３５】
ネットワーク通信部３０７は、情報処理部３０６から出力された自局の基地局性能情報をネットワーク１０３を介して制御局１０１へ送信し、制御局１０１からネットワーク１０３を介して受信されたパケット収集分析ポリシーを情報処理部３０６へ出力する。また、ネットワーク通信部３０７は、情報処理部３０６から出力された収集パケット分析結果情報をネットワーク１０３を介して制御局１０１へ送信し、制御局１０１からネットワーク１０３を介して受信された収集パケット取得信号を情報処理部３０６へ出力する。さらに、ネットワーク通信部３０７は、情報処理部３０６から収集パケットデータを受け取って、ネットワーク１０３を介して制御局１０１へ送信する。
【００３６】
このように、無線基地局１０２は、制御局１０１からパケット収集分析ポリシーを受け取って無線部３０２により通信されるパケットデータを収集および分析を行い、収集パケットデータや収集パケット分析結果情報などを制御局１０１へ送信する。
【００３７】
図３は、パケット収集ポリシーおよびパケット分析ポリシーの一例を示す。図３において、ポリシー番号（ＩおよびＩＩ）毎に、パケット収集ポリシーとして収集項目、収集方法および収集条件の例と、パケット分析ポリシーとして分析項目、分析方法および判定条件の例とが示されている。ここで、図３に示すように、パケット収集分析ポリシーには、ポリシー番号、パケット収集ポリシー、パケット分析ポリシーの各情報が含まれる。
【００３８】
（パケット収集ポリシー）
パケット収集ポリシーには、収集項目、収集方法、収集条件がある。収集項目はパケット収集を行う対象パケットの規定であり、例えば自局が送受信するパケットや、自局以外が送受信するパケットなどが含まれる。収集方法は、パケット収集を行う方法の規定を示し、例えばパケット収集の実施タイミング、収集時間、収集する無線チャネルなどが含まれる。収集条件は、パケット収集を実施する条件であり、例えば自局への無線端末局の接続状態などが含まれる。
【００３９】
図３のポリシー番号Ｉの例では、収集項目によりパケット収集を行う対象パケットが「自局が送受信中の全パケット」であり、収集方法により実施タイミングが１時間毎、収集時間が１分間、収集する無線チャネルが自局の通信チャネルであり、収集条件によりパケット収集を実施する条件が「自局に１台以上の端末が接続中」である。
【００４０】
また、図３のポリシー番号ＩＩの例では、収集項目によりパケット収集を行う対象パケットが「自局以外が送受信中の全パケット」であり、収集方法により実施タイミングが１時間毎、収集時間が１分間、収集する無線チャネルが自局の通信チャネルであり、収集条件はない。
【００４１】
これらのパケット収集ポリシーは、基地局性能情報における無線部の数、アンテナ数および対応する無線通信規格などの情報に基づき、どのようにパケット収集分析を実施するかによって定められる。例えば、自局の通信状態を分析する場合には収集項目において自局が送受信中の全パケットを指定したり、逆に自局が周辺の無線局（他の無線基地局や無線端末、或いは帯域の重複する無線機器などを含む）から受ける干渉信号を分析する場合には収集項目において自局以外が送受信中の全パケットを指定したりすることが考えられる。また、収集方法で規定される実施タイミングなどで与えられる収集頻度についてもそれぞれ無線通信への影響との兼ね合いによって設定することができる。また、収集頻度・収集時間が大きい場合には無線通信への影響が大きいものの収集された情報の精度が向上し、一方で収集頻度・収集時間が小さい場合には無線通信への影響が小さく抑えられるものの、収集された情報の精度が低下することが考えられる。収集条件についても同様であり、無線通信への影響を極力抑えるためには自局に無線端末局がなるべく接続していないタイミングで実施する必要があるが、パケット収集を実施可能なタイミングは限られる。また、無線端末局が全く接続されていない状態では、自局が無線端末局向けのパケットの送受信をそもそも行わないため、１台以上の無線端末局が接続されているときにパケット収集を実施する必要がある。
【００４２】
（パケット分析ポリシー）
図３において、パケット分析ポリシーには、分析項目、分析方法、判定条件がある。分析項目は、パケット分析の項目名である。分析方法は、具体的な分析内容であり、例えば宛先毎、送信元毎、トラヒック方向（上り方向／下り方向）毎などにおける再送パケット率、データレート、Ｒｅａｓｏｎ  Ｃｏｄｅ（理由コード）、受信電力などが含まれる。また、判定条件には、パケット分析結果に対する判定を行う際の条件などが含まれる。
【００４３】
図３のポリシー番号Ｉの例では、分析項目として、再送率、データレート、無線切断信号、受信電力などが規定され、分析方法として、宛先毎、上下方向毎の平均再送パケット率、平均データレート、平均受信電力、或いは信号内のＲｅａｓｏｎ  ｃｏｄｅなどが規定され、判定条件として、再送パケット率では２０％以下、データレートでは１６Ｍｂｐｓ以上、Ｒｅａｓｏｎ  Ｃｏｄｅでは規定範囲、受信電力では−７５ｄＢｍ以上、などが規定される。
【００４４】
また、図３のポリシー番号ＩＩの例では、分析項目として、トラフィック量、エアタイム（無線通信している時間）などが規定され、分析方法として、宛先毎、上下方向毎の平均トラフィック、エアタイム占有率などが規定される。なお、図３のポリシー番号ＩＩの例では、判定条件はない。
【００４５】
これらのパケット分析ポリシーは、予め分析項目毎に分析方法および判定条件を定めておき、パケット収集分析ポリシーのポリシー番号毎に、基地局性能情報における無線部の数、アンテナの数および対応する無線通信規格などの情報に基づき、各分析項目の内容をそれぞれ適用するか否かを規定し、分析方法や判定条件を定めることができる。
【００４６】
ここで、図３の設定例において、再送パケット率は、通常問題ない状態の無線通信であっても５〜１０％程度の再送率となる場合があるため、判定条件をそれよりも高く設定して判定を行うのが好ましい。また、データレートや受信電力では、予め想定した値に対する大小の判定を行い、無線切断信号では、通常の無線通信において想定し難いＲｅａｓｏｎ  Ｃｏｄｅが検出されていないかなどの判定を行うことができる。
【００４７】
図４は、収集パケットデータの一例を示す。図４に示すように、収集パケットデータは、無線通信パケットをそのまま収集したデータの集合であり、例えばパケット情報、無線情報およびペイロード情報が含まれる。パケット情報には、パケット全体に関する情報として、例えばパケット番号や日時などの情報が含まれる。無線情報には、無線通信に関する情報として、例えば送信元ＭＡＣ（Media Access Control）アドレス、宛先ＭＡＣアドレス、通信プロトコル、データサイズ、無線パラメータなどが含まれる。また、ペイロード情報には、無線パケットで送受されるデータ部分の情報が含まれ、例えば送信元ＩＰ（Internet Protocol）アドレス、宛先ＩＰアドレス、通信プロトコル、データサイズなどが含まれる。
【００４８】
図４のパケット番号１の例では、パケット情報として、日時が2018/09/12の15:30:01として含まれ、無線情報として、送信元ＭＡＣアドレスがaa:bb:cc:dd:ee:ff、宛先ＭＡＣアドレスがab:cd:ef:ab:cd:ef、通信プロトコルがData、データサイズが1500Byteなどの情報が含まれ、ペイロード情報として、送信元ＩＰアドレスが1.1.1.1、宛先ＩＰアドレスが2.2.2.2、通信プロトコルがTCP、データサイズが1450Byteなどの情報が含まれる。図４のパケット番号２およびパケット番号３の例についても同様である。
【００４９】
図５は、収集パケット分析結果情報の一例を示す。図５に示すように、収集パケット分析結果情報は、パケット収集分析ポリシー生成部２０２により生成されるパケット収集分析ポリシーに含まれるパケット収集ポリシーに基づいて収集した収集パケットデータに対し、パケット収集分析ポリシーに含まれるパケット分析ポリシーに基づいて分析を行った結果情報である。例えば、結果情報毎の番号（結果情報番号）、無線基地局番号、パケット収集分析ポリシー番号、パケット収集実施日時、パケット分析実施日時、パケット分析結果、パケット判定結果などの情報が含まれる。
【００５０】
図５の結果情報番号１の例では、無線基地局番号が１０２（１）（図１の無線基地局１０２（１）に対応）、パケット収集分析ポリシー番号が図３のポリシー番号Ｉ、パケット収集実施日時が2018/09/12の16:16、パケット分析実施日時が2018/09/12の16:17、パケット分析結果として、再送パケット率：４％，データレート：平均42Mbps，無線切断信号：規定範囲外なし，受信電力：-65dBmの情報が含まれ、パケット判定結果として、再送パケット率：OK，データレート：OK，無線切断信号：OK，受信電力：OKの情報が含まれている。図５のポリシー番号２の無線基地局番号が１０２（Ｎ）（図１の無線基地局１０２（Ｎ）に対応）の例についても同様である。
【００５１】
図６は、初期設定処理の一例を示す。なお、図６に示す処理は、図２に示す制御局１０１および無線基地局１０２の各ブロックにより実行される。
【００５２】
ステップＳ１０１において、制御局１０１は、無線基地局１０２から基地局性能情報を収集する。
【００５３】
ステップＳ１０２において、制御局１０１は、無線基地局１０２から収集した基地局性能情報に基づき、パケット収集分析ポリシーを生成し、無線基地局１０２へ通知する。
【００５４】
ステップＳ１０３において、無線基地局１０２は、制御局１０１から通知されたパケット収集分析ポリシーを自局のパケットデータ収集部３０３および収集パケットデータ分析部３０４に設定する。
【００５５】
このようにして、制御局１０１および無線基地局１０２に対する初期設定が完了する。
【００５６】
図７は、パケット収集分析処理の一例を示す。なお、図７に示す処理は、図２に示す制御局１０１および無線基地局１０２の各ブロックにより実行される。
【００５７】
ステップＳ２０１において、無線基地局１０２は、自局が持つ全てのパケット収集分析ポリシー番号を未判定に設定する。
【００５８】
ステップＳ２０２において、無線基地局１０２は、未判定のパケット収集分析ポリシー番号が存在するか否かを判定し、存在する場合はステップＳ２０３へ進み、存在しない場合は処理を終了する。
【００５９】
ステップＳ２０３において、無線基地局１０２は、未判定のパケット収集分析ポリシー番号の中から１つを選択し、判定済みに設定する。
【００６０】
ステップＳ２０４において、無線基地局１０２は、選択したパケット収集分析ポリシー番号に該当するパケット収集ポリシーにおける収集条件を満たすか否かを判定し、満たす場合はステップＳ２０５へ進み、満たさない場合はステップＳ２０２へ戻る。
【００６１】
ステップＳ２０５において、無線基地局１０２は、選択したパケット収集分析ポリシー番号のパケット収集ポリシーに基づいてパケット収集を実施する。
【００６２】
ステップＳ２０６において、無線基地局１０２は収集パケットデータを記録し、さらに選択したパケット収集分析ポリシーにおけるパケット分析ポリシーの内容に基づいて、収集パケットデータに対する分析を行う。
【００６３】
ステップＳ２０７において、無線基地局１０２は、収集パケットデータ分析結果情報を制御局１０１へ通知し、制御局１０１は、無線基地局１０２から通知された収集パケットデータ分析結果情報を記録する。
【００６４】
ステップＳ２０８において、制御局１０１は、収集パケットデータ分析結果情報に基づいて、無線基地局１０２から収集パケットデータの取得を実施するか否か判定し、取得する場合はステップＳ２０９へ進み、取得しない場合はステップＳ２０２へ戻る。
【００６５】
ステップＳ２０９において、制御局１０１は、無線基地局１０２に対して収集パケットデータ取得信号を通知し、通知を受けた無線基地局１０２は、自局で記録していた該当の収集パケットデータを制御局１０１へ出力する。
【００６６】
ステップＳ２１０において、制御局１０１は、無線基地局１０２から取得した収集パケットデータに対する解析を実施して、解析結果を記録する。そして、ステップＳ２０２へ戻る。なお、ここでの解析において、例えば、通常では生じない切断パケットが発生している場合にはそのパケットによって問題が発生している可能性が高いことが分かり、問題が端末１台に対してのみ発生しているのか、それとも無線基地局に接続する複数の無線端末局で共通に発生しているのかなど、解析によって問題の影響範囲を把握することができる。
【００６７】
このように、本実施形態に係る制御局１０１および無線基地局１０２は、パケット収集分析の処理を行うことができる。ここで、無線基地局１０２が、図７の処理を定期的に実施することにより、各無線基地局１０２がそれぞれ自律的に設定されたパケット収集分析ポリシーに基づいて、パケットデータの収集および分析を行い、分析結果情報を制御局１０１へ通知し、制御局１０１は無線基地局１０２から通知された分析結果情報に基づいて、さらに収集パケットデータを無線基地局１０２から取得して詳細な解析を行うことができる。
【００６８】
なお、上述の実施形態における制御局１０１および無線基地局１０２は、専用装置による実現に限らず、汎用コンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。ここで、「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことである。なお、「コンピュータで読み取り可能な記録媒体」は、インターネット等のネットワークや電話回線等の通信回線を介してプログラムを送信する場合の通信線上で短時間の間、動的にプログラムを保持するもの、例えばサーバやクライアントとなるコンピュータシステム内部の揮発性メモリのように、一定時間プログラムを保持するものを含んでもよい。また、上述のプログラムは、実施形態で説明した機能の一部を実現するためのものであってもよいし、上述の機能がコンピュータシステムに既に記録されているプログラムとの組み合わせで実現できるものであってもよい。例えば、ＰＬＤ（Programmable Logic Device）やＦＰＧＡ（Field Programmable Gate Array）等のハードウェアを用いて実現されるものであってもよい。
【００６９】
以上、図面を参照して本発明の実施の形態を説明してきたが、上記実施の形態は本発明の例示に過ぎず、本発明が上記実施の形態に限定されるものではないことは明らかである。したがって、本発明の技術思想及び範囲を逸脱しない範囲で構成要素の追加、省略、置換、その他の変更を行ってもよい。
【符号の説明】
【００７０】
１００・・・無線通信システム；１０１・・・制御局；１０２・・・無線基地局；１０３・・・ネットワーク；２０１，３０７・・・ネットワーク通信部；２０２・・・パケット収集分析ポリシー生成部；２０３・・・データ解析部；２０４・・・データ解析結果記録部；３０１・・・アンテナ；３０２・・・無線部；３０３・・・パケットデータ収集部；３０４・・・収集パケットデータ分析部；３０５・・・収集パケットデータ記録部；３０６・・・情報処理部
【図１】
2020174255.tif 000003
【図２】
2020174255.tif 000004
【図３】
2020174255.tif 000005
【図４】
2020174255.tif 000006
【図５】
2020174255.tif 000007
【図６】
2020174255.tif 000008
【図７】
2020174255.tif 000009